【事件の表示】
　特願２００８−２８３４６１「垂直磁気記録ヘッドおよびその製造方法」拒絶査定不服審判事件〔平成２１年　５月２８日出願公開、特開２００９−１１７０２７〕について、次のとおり審決する。
【結　論】
　本件審判の請求は、成り立たない。
【理　由】
１．手続の経緯
　本願は、平成２０年１１月４日（パリ条約に基づく優先権主張　平成１９年１１月２日　米国）の出願であって、平成２５年３月１５日付け拒絶理由通知に対する応答時、同年７月１９日付けで手続補正がなされたが、平成２６年２月４日付けで拒絶査定がなされ、これに対して、同年６月１１日付けで拒絶査定不服審判の請求がなされたものである。
　
２．本願発明
　本願の請求項１ないし２２に係る発明は、平成２５年７月１９日付け手続補正書により補正された特許請求の範囲の請求項１ないし２２に記載された事項により特定されるとおりのものと認められるところ、請求項１に係る発明（以下、「本願発明」という。）は、次のとおりである。
「【請求項１】
　基体の上に形成されたテーパ主磁極層と、前記テーパ主磁極層の上に形成されたテーパ非磁性上部形状層と、前記テーパ主磁極層および前記テーパ非磁性上部形状層の上に形成されると共に一定の厚さを有する記録ギャップ層と、前記記録ギャップ層の上に形成されたトレーリングシールドと、を備えた垂直磁気記録ヘッドであって、
（ａ）前記テーパ主磁極層は、下側部分および上側部分を有し、
　前記下側部分は、エアベアリング面に磁極先端部を有すると共に、前記基体の表面に平行な上面を有し、
　前記上側部分は、前記エアベアリング面における一端部と前記一端部よりも前記エアベアリング面から離れた側に位置すると共に前記一端部よりも前記基体から離れた側に位置する他端部との間における傾斜面と、前記他端部において前記傾斜面に連結されると共に前記基体の表面に平行な上面と、を有し、
（ｂ）前記テーパ非磁性上部形状層は、前記テーパ主磁極層の上側部分の上に配置されていると共に、前記上側部分の他端部に一致する一端部と前記一端部よりも前記エアベアリング面から離れた側における所定の距離に位置すると共に前記一端部よりも前記基体から離れた側に位置する他端部との間における傾斜面と、前記他端部において前記傾斜面に連結されると共に前記基体の表面に平行な上面と、を有し、
　前記テーパ主磁極層の傾斜面と前記テーパ非磁性上部形状層の傾斜面とは、同一面内に位置し、
（ｃ）前記記録ギャップ層は、前記テーパ主磁極層の傾斜面および前記テーパ非磁性上部形状層の傾斜面の上に配置された第１部分と、前記テーパ非磁性上部形状層の上面の上に配置された第２部分と、を有し、
（ｄ）前記トレーリングシールドは、前記記録ギャップ層の第１部分の上に配置されていると共に、前記エアベアリング面に沿った第１側面と、前記エアベアリング面から離れた側における前記所定の距離に位置すると共に前記第１側面に対向する第２側面と、前記記録ギャップ層の第１部分に隣接した第３側面と、前記第３側面に対向すると共に前記エアベアリング面に垂直な第４側面と、を有する
　ことを特徴とする垂直磁気記録ヘッド。」
　
３．引用例
　これに対して、原査定の拒絶の理由に引用された特開２００７−２４２２１０号公報（公開日：平成１９年９月２０日。以下、「引用例」という。）には、「垂直磁気記録用磁気ヘッド」について、図面とともに以下の各記載がある（なお、下線は当審で付与した）。
（１）「【請求項１】
  記録媒体に対向する媒体対向面と、
  前記記録媒体に記録する情報に応じた磁界を発生するコイルと、
  前記
媒体対向面に配置された端面を有し、前記コイルによって発生された磁界に対応する磁束を通過させると共に、垂直磁気記録方式によって前記情報を前記記録媒体に記録するための記録磁界を発生する磁極層と
  
シールドとを備えた垂直磁気記録用磁気ヘッドであって
  
前記シールドは、前記媒体対向面において前記磁極層の前記端面に対して記録媒体の進行方向の前側に配置された端面を有する第１層
を有し
  
垂直磁気記録用磁気ヘッドは、更に、非磁性材料よりなり、前記磁極層と前記第１層との間に設けられたギャップ層を備え
  
前記媒体対向面において、前記第１層の前記端面は、前記磁極層の前記端面に対して、前記ギャップ層の厚みによる所定の間隔を開けて配置され
  前記磁極層の前記端面は、前記ギャップ層に隣接する辺を有し、この辺はトラック幅を規定し、
  前記コイルの一部は、前記磁極層、第２層、第１の連結部および第２の連結部によって囲まれた空間を通過し
ていることを特徴とする垂直磁気記録用磁気ヘッド
　
（２）「【００５８】
　以上説明したように、本実施の形態に係る磁気ヘッドは、記録媒体に対向する媒体対向面３０と再生ヘッドと記録ヘッドとを備えている。再生ヘッドと
記録ヘッドは、基板１の上に積層されている
　
（３）「【００６２】
  
磁極層１２は、媒体対向面３０に配置された端面を有する第１の部分と、この第１の部分よりも媒体対向面３０から遠い位置に配置され、第１の部分よりも大きな厚みを有する第２の部分とを有している。第１の部分は、媒体対向面３０からの距離に応じて変化しない厚みを有している
そのため、ギャップ層１４に接する磁極層１２の上面は屈曲している
  
（４）「【００６７】
  
第１層１３Ａの下面は、ギャップ層１４を介して磁極層１２の上面に対向するように屈曲している。ギャップ層１４も、磁極層１２の上面に沿って屈曲している
　
（５）「【００９８】
　この工程では、まず、積層体の上面全体の上に、ギャップ層１４を形成する。
ギャップ層１４は
特にＡＬＣＶＤを用いることが好ましい
ＡＬＣＶＤを用いて形成されるギャップ層１４は、ステップカバレージがよい。従って、ＡＬＣＶＤを用いてギャップ層１４を形成することにより、屈曲した磁極層１２の上面の上に薄く且つ均質なギャップ層１４を形成することができる
　
（６）「【０１１３】
［変形例］
  以下、本実施の形態における第１および第２の変形例について説明する。始めに、図１８ないし図２１を参照して、第１の変形例の磁気ヘッドの製造方法について説明する。図１８ないし図２１は、それぞれ、磁気ヘッドの製造過程における積層体の、媒体対向面および基板に垂直な断面を示している。なお、図１８ないし図２１では、上部シールド層７よりも基板１側の部分を省略している。
　　　　　　　・・・・・（中　略）・・・・・
【０１１７】
  
第１の変形例の磁気ヘッドでは、媒体対向面３０から見て最初にギャップ層１４が屈曲する位置よりも、媒体対向面３０から遠い領域において、磁極層１２と第１層１３Ａとの間にギャップ層１４および非磁性膜４１が配置されている。従って、この領域における磁極層１２と第１層１３Ａとの間における磁束の漏れは、非磁性膜４１がない場合に比べて少なくなる
　
　・引用例に記載の「垂直磁気記録用磁気ヘッド」は、上記（１）、（２）の記載事項、及び図２、図２１によれば、基板１の上に積層され、媒体対向面３０に配置された端面を有し、コイル１１によって発生された磁界に対応する磁束を通過させると共に、垂直磁気記録方式によって情報を記録媒体に記録するための記録磁界を発生する磁極層１２と、シールド１３とを備えた垂直磁気記録用磁気ヘッドであって、シールド１３は、媒体対向面３０において磁極層１２の端面に対して記録媒体の進行方向Ｔの前側に配置された端面を有する第１層１３Ａを有し、更に、磁極層１２と第１層１３Ａとの間に設けられたギャップ層１４を備え、媒体対向面３０において第１層１３Ａの端面は、磁極層１２の端面に対して、ギャップ層１４の厚みによる所定の間隔を開けて配置されている垂直磁気記録用磁気ヘッドに関するものである。
　・上記（３）の記載事項、及び図２、図２１によれば、磁極層１２は、媒体対向面３０に配置された端面を有し、媒体対向面３０からの距離に応じて変化しない厚みを有する第１の部分と、この第１の部分よりも媒体対向面３０から遠い位置に配置され、媒体対向面３０からの距離に応じて第１の部分よりも徐々に厚みが大きくなり、その後変化しない厚みを有する第２の部分とを有しており、ギャップ層１４に接する上面は屈曲している。
　・上記（４）の記載事項、及び図２、図２１によれば、磁極層１２の上面が屈曲していることに伴い、ギャップ層１４も磁極層１２の上面に沿って屈曲しており、第１層１３Ａの下面もギャップ層１４を介して磁極層１２の上面に対向するように屈曲している。
　なお、上記（５）の記載事項、及び図２、図２１によれば、ギャップ層１４は、好ましくはＡＬＣＶＤ法を用いて形成され一定の厚さを有するものであると理解できる。
　・図２、図２１によれば、シールド１３を構成する第１層１３Ａは、媒体対向面３０における端面と、媒体対向面３０から所定距離離れた側において前記端面と対向する側面と、ギャップ層１４に隣接した下面と、当該下面に対向するとともに媒体対向面３０に垂直な上面とを有するものである。
　・上記（６）の記載事項、及び図２１によれば、第１の変形例として、媒体対向面３０から見て最初にギャップ層１４が屈曲する位置よりも、媒体対向面３０から遠い領域において、磁極層１２とギャップ層１４との間に非磁性膜４１を配置してなり、非磁性膜４１を設けたことによってこの領域における磁極層１２と第１層１３Ａとの間における磁束の漏れを非磁性膜４１がない場合に比べて少なくなるようにしている。
　そして、図２１によれば、非磁性膜４１は、磁極層１２の第２の部分の上に配置され、当該第２の部分における徐々に厚みが大きくなる部分と変化しない厚みの部分との境界位置より媒体対向面３０からの距離に応じて徐々に厚みが大きくなり、その後変化しない厚みを有するものである。
　
　したがって、特に図２１に示される第１の変形例に係るものに着目し、上記記載事項及び図面を総合勘案すると、引用例には、次の発明（以下、「引用発明」という。）が記載されている。 
「基板の上に積層され、媒体対向面に配置された端面を有し、コイルによって発生された磁界に対応する磁束を通過させると共に、垂直磁気記録方式によって情報を記録媒体に記録するための記録磁界を発生する磁極層と、シールドとを備えた垂直磁気記録用磁気ヘッドであって、
　前記シールドは、前記媒体対向面において前記磁極層の端面に対して記録媒体の進行方向の前側に配置された端面を有する第１層を有し、
　前記磁極層と前記第１層との間には好ましくはＡＬＣＶＤ法を用いて形成され一定の厚さを有するギャップ層が設けられ、
　前記媒体対向面において前記第１層の端面は、前記磁極層の端面に対して、前記ギャップ層の厚みによる所定の間隔を開けて配置されてなる垂直磁気記録用磁気ヘッドにおいて、
　前記磁極層は、前記媒体対向面に配置された端面を有し、前記媒体対向面からの距離に応じて変化しない厚みを有する第１の部分と、当該第１の部分よりも前記媒体対向面から遠い位置に配置され、前記媒体対向面からの距離に応じて第１の部分よりも徐々に厚みが大きくなり、その後変化しない厚みを有する第２の部分とを有していて、その上面は屈曲しており、
　前記磁極層の上面が屈曲していることに伴い、前記ギャップ層も前記磁極層の上面に沿って屈曲しており、前記第１層の下面も前記ギャップ層を介して前記磁極層の上面に対向するように屈曲しており、
　前記シールドを構成する前記第１層は、前記媒体対向面における前記端面と、前記媒体対向面から所定距離離れた側において前記端面と対向する側面と、前記ギャップ層に隣接した前記下面と、当該下面に対向するとともに前記媒体対向面に垂直な上面とを有し、
　更に、前記媒体対向面から見て最初に前記ギャップ層が屈曲する位置よりも、前記媒体対向面から遠い領域において、前記磁極層と前記ギャップ層との間に非磁性膜が配置され、当該非磁性膜は、前記磁極層の前記第２の部分の上に配置され、当該第２の部分における徐々に厚みが大きくなる部分と変化しない厚みの部分との境界位置より前記媒体対向面からの距離に応じて徐々に厚みが大きくなり、その後変化しない厚みを有するものであり、当該非磁性膜を設けたことによってこの領域における前記磁極層と前記第１層との間における磁束の漏れを当該非磁性膜がない場合に比べて少なくなるようにした垂直磁気記録用磁気ヘッド。」 
　
４．対比
　そこで、本願発明と引用発明とを対比すると、
（１）引用発明における「基板」、「媒体対向面」は、本願発明における「基体」、「エアベアリング面」に相当し、
　引用発明における「基板の上に積層され、媒体対向面に配置された端面を有し、コイルによって発生された磁界に対応する磁束を通過させると共に、垂直磁気記録方式によって情報を記録媒体に記録するための記録磁界を発生する磁極層と、シールドとを備えた垂直磁気記録用磁気ヘッドであって、・・・・前記磁極層は、前記媒体対向面に配置された端面を有し、前記媒体対向面からの距離に応じて変化しない厚みを有する第１の部分と、当該第１の部分よりも前記媒体対向面から遠い位置に配置され、前記媒体対向面からの距離に応じて第１の部分よりも徐々に厚みが大きくなり、その後変化しない厚みを有する第２の部分とを有していて、その上面は屈曲しており」によれば、
 (a)引用発明における、媒体対向面に配置された磁極層の「端面」は、本願発明における「磁極先端部」に相当し、
　引用発明の「磁極層」にあっても、媒体対向面に配置された端面を有するとともに、第１の部分の厚みを維持して基板の表面に平行な上面・下面を有する本願発明でいうところの「下側部分」と、この「下側部分」を除いた残りの「上側部分」とを有するとみることができ、
 (b)また、「下側部分」を除いた残りの「上側部分」は、媒体対向面からの距離に応じて第１の部分よりも徐々に厚みが大きくなる部分を含むことから、一端部と当該一端部よりも媒体対向面から離れた側に位置するととともに当該一端部よりも基板から離れた側に位置する他端部との間における傾斜面を有し、さらに、その後変化しない厚みを有する部分を含むことから、前記他端部において傾斜面に連結されるとともに基板の表面に平行な上面を有するものである。
 (c)そして以上のことから、引用発明における「磁極層」は、傾斜面を有する点において本願発明でいう「テーパ主磁極層」に相当するといえるものである。
　したがって、本願発明と引用発明とは、後述の相違点を除いて「（ａ）前記テーパ主磁極層は、下側部分および上側部分を有し、前記下側部分は、エアベアリング面に磁極先端部を有すると共に、前記基体の表面に平行な上面を有し、前記上側部分は、一端部と前記一端部よりも前記エアベアリング面から離れた側に位置すると共に前記一端部よりも前記基体から離れた側に位置する他端部との間における傾斜面と、前記他端部において前記傾斜面に連結されると共に前記基体の表面に平行な上面と、を有し」ている点で共通する。
　
（２）引用発明における「更に、前記媒体対向面から見て最初に前記ギャップ層が屈曲する位置よりも、前記媒体対向面から遠い領域において、前記磁極層と前記ギャップ層との間に非磁性膜が配置され、当該非磁性膜は、前記磁極層の前記第２の部分の上に配置され、当該第２の部分における徐々に厚みが大きくなる部分と変化しない厚みの部分との境界位置より前記媒体対向面からの距離に応じて徐々に厚みが大きくなり、その後変化しない厚みを有するものであり、当該非磁性膜を設けたことによってこの領域における前記磁極層と前記第１層との間における磁束の漏れを当該非磁性膜がない場合に比べて少なくなるようにした・・」によれば、
　引用発明の「非磁性膜」は、磁極層の第２の部分の上に配置され、当該第２の部分における徐々に厚みが大きくなる部分と変化しない厚みの部分との境界位置より記媒体対向面からの距離に応じて徐々に厚みが大きくなり、その後変化しない厚みを有するものであることから、磁極層の上側部分の他端部に一致する一端部と当該一端部よりも媒体対向面から離れた側における所定の距離に位置すると共に当該一端部よりも基板から離れた側に位置する他端部との間における傾斜面と、前記他端部において傾斜面に連結されるとともに基板の表面に平行な上面とを有するものであるといえ、
　よって、引用発明における「非磁性膜」は、傾斜面を有する点において本願発明でいう「テーパ非磁性上部形状層」に相当するといえるものである。
　したがって、本願発明と引用発明とは、「（ｂ）前記テーパ非磁性上部形状層は、前記テーパ主磁極層の上側部分の上に配置されていると共に、前記上側部分の他端部に一致する一端部と前記一端部よりも前記エアベアリング面から離れた側における所定の距離に位置すると共に前記一端部よりも前記基体から離れた側に位置する他端部との間における傾斜面と、前記他端部において前記傾斜面に連結されると共に前記基体の表面に平行な上面と、を有し」ている点で一致する。
　
（３）引用発明における「ギャップ層」は、本願発明における「記録ギャップ層」に相当し、
　引用発明における「前記磁極層と前記第１層との間には好ましくはＡＬＣＶＤ法を用いて形成され一定の厚さを有するギャップ層が設けられ、・・・・更に、前記媒体対向面から見て最初に前記ギャップ層が屈曲する位置よりも、前記媒体対向面から遠い領域において、前記磁極層と前記ギャップ層との間に非磁性膜が配置され・・」によれば、
　本願発明の「ギャップ層」は、磁極層と非磁性膜とに跨がってその上に設けられており、少なくとも、磁極層の傾斜面および非磁性膜の傾斜面の上に配置された部分（本願発明でいう「第１部分」）と、非磁性膜の上面の上に配置された部分（本願発明でいう「第２部分」）とを有するといえる。
　したがって、本願発明と引用発明とは、「（ｃ）前記記録ギャップ層は、前記テーパ主磁極層の傾斜面および前記テーパ非磁性上部形状層の傾斜面の上に配置された第１部分と、前記テーパ非磁性上部形状層の上面の上に配置された第２部分と、を有し」ている点で一致する。
　
（４）引用発明における、シールドを構成する「第１層」は、本願発明における「トレーリングシールド」に相当し、
　引用発明における「前記シールドは、前記媒体対向面において前記磁極層の端面に対して記録媒体の進行方向の前側に配置された端面を有する第１層を有し、・・・・前記媒体対向面において前記第１層の端面は、前記磁極層の端面に対して、前記ギャップ層の厚みによる所定の間隔を開けて配置され・・・・前記シールドを構成する前記第１層は、前記媒体対向面における前記端面と、前記媒体対向面から所定距離離れた側において前記端面と対向する側面と、前記ギャップ層に隣接した前記下面と、当該下面に対向するとともに前記媒体対向面に垂直な上面とを有し」によれば、
　引用発明の「第１層」における「端面」、「側面」、「下面」、「上面」が、それぞれ本願発明の「トレーリングシールド」における「第１側面」、「第２側面」、「第３側面」、「第４側面」に相当し、
　本願発明と引用発明とは、後述の相違点を除いて「（ｄ）前記トレーリングシールドは、前記記録ギャップ層の第１部分の上に配置されていると共に、前記エアベアリング面に沿った第１側面と、前記エアベアリング面から離れた側における所定の距離に位置すると共に前記第１側面に対向する第２側面と、前記記録ギャップ層の第１部分に隣接した第３側面と、前記第３側面に対向すると共に前記エアベアリング面に垂直な第４側面と、を有する」点で共通するといえる。
　
（５）そして、引用発明における「垂直磁気記録用磁気ヘッド」は、本願発明における「垂直磁気記録ヘッド」に相当し、
　引用発明における「基板の上に積層され、媒体対向面に配置された端面を有し、コイルによって発生された磁界に対応する磁束を通過させると共に、垂直磁気記録方式によって情報を記録媒体に記録するための記録磁界を発生する磁極層と、シールドとを備えた垂直磁気記録用磁気ヘッドであって、前記シールドは、前記媒体対向面において前記磁極層の端面に対して記録媒体の進行方向の前側に配置された端面を有する第１層を有し、前記磁極層と前記第１層との間には好ましくはＡＬＣＶＤ法を用いて形成され一定の厚さを有するギャップ層が設けられ、前記媒体対向面において前記第１層の端面は、前記磁極層の端面に対して、前記ギャップ層の厚みによる所定の間隔を開けて配置されてなる垂直磁気記録用磁気ヘッドにおいて」によれば、上記（１）〜（４）を踏まえると、
　本願発明と引用発明とは、「基体の上に形成されたテーパ主磁極層と、前記テーパ主磁極層の上に形成されたテーパ非磁性上部形状層と、前記テーパ主磁極層および前記テーパ非磁性上部形状層の上に形成されると共に一定の厚さを有する記録ギャップ層と、前記記録ギャップ層の上に形成されたトレーリングシールドと、を備えた垂直磁気記録ヘッドであって」の点で一致するということができる。
　
　よって、本願発明と引用発明とは、
「基体の上に形成されたテーパ主磁極層と、前記テーパ主磁極層の上に形成されたテーパ非磁性上部形状層と、前記テーパ主磁極層および前記テーパ非磁性上部形状層の上に形成されると共に一定の厚さを有する記録ギャップ層と、前記記録ギャップ層の上に形成されたトレーリングシールドと、を備えた垂直磁気記録ヘッドであって、
（ａ）前記テーパ主磁極層は、下側部分および上側部分を有し、
　前記下側部分は、エアベアリング面に磁極先端部を有すると共に、前記基体の表面に平行な上面を有し、
　前記上側部分は、一端部と前記一端部よりも前記エアベアリング面から離れた側に位置すると共に前記一端部よりも前記基体から離れた側に位置する他端部との間における傾斜面と、前記他端部において前記傾斜面に連結されると共に前記基体の表面に平行な上面と、を有し、
（ｂ）前記テーパ非磁性上部形状層は、前記テーパ主磁極層の上側部分の上に配置されていると共に、前記上側部分の他端部に一致する一端部と前記一端部よりも前記エアベアリング面から離れた側における所定の距離に位置すると共に前記一端部よりも前記基体から離れた側に位置する他端部との間における傾斜面と、前記他端部において前記傾斜面に連結されると共に前記基体の表面に平行な上面と、を有し、
（ｃ）前記記録ギャップ層は、前記テーパ主磁極層の傾斜面および前記テーパ非磁性上部形状層の傾斜面の上に配置された第１部分と、前記テーパ非磁性上部形状層の上面の上に配置された第２部分と、を有し、
（ｄ）前記トレーリングシールドは、前記記録ギャップ層の第１部分の上に配置されていると共に、前記エアベアリング面に沿った第１側面と、前記エアベアリング面から離れた側における所定の距離に位置すると共に前記第１側面に対向する第２側面と、前記記録ギャップ層の第１部分に隣接した第３側面と、前記第３側面に対向すると共に前記エアベアリング面に垂直な第４側面と、を有する
　ことを特徴とする垂直磁気記録ヘッド。」
である点で一致し、次の点で相違する。
　
［相違点１］
　テーパ主磁極層（の上側部分）における傾斜面の一端部について、本願発明では、「前記エアベアリング面における」ものである、つまり、エアベアリング面に位置している旨特定するのに対し、引用発明では、そのような構成を有していない点。
　
［相違点２］
　テーパ主磁極層の傾斜面とテーパ非磁性上部形状層の傾斜面について、本願発明では、「同一面上に位置し」ている旨特定するのに対し、引用発明では、そのような特定を有していない点。
　
［相違点３］
　トレーリングシールドにおけるエアベアリング面から離れた側に位置する第２側面について、エアベアリング面からの所定の距離が、本願発明では、「前記所定の距離」、つまり、エアベアリング面からテーパ非磁性上部形状層の傾斜面の他端部までの距離である旨特定するのに対し、引用発明では、そのような特定を有していない点。
　
５．判断
　上記相違点について検討する。
［相違点１］について
　例えば原査定の拒絶の理由に引用された特開２００５−３０２２８１号公報（特に、段落【００４９】、【００５７】、【００６２】、【００６６】〜【００７７】、図１、図１１を参照）、さらには特開２００２−１３３６１０号公報（特に、段落【００２２】、図１０（ａ）を参照）に記載されているように、主磁極中を流れる磁束を集中させて記録磁界の強度を高くするために主磁極の先端部の例えばトレーリング側に傾斜面（テーパ）を設ける際に、傾斜面（テーパ）をエアベアリング面から始まるように設けることは周知の技術事項であるといえ〔なお、上記特開２００５−３０２２８１号公報には、傾斜面（テーパ）をエアベアリング面から後退した位置から始まるように設ける例についても記載（図１に示される実施の形態に係るものを参照）されている〕、引用発明においても磁極層を、媒体対向面からの距離に応じて変化しない厚みを有する第１の部分を研磨処理などの際に省くなどして、傾斜面がエアベアリング面から始まる、すなわち、傾斜面の一端部がエアベアリング面に位置しているようにすることは当業者であれば容易になし得ることである。
　
［相違点２］について
　引用例の図２１によれば、磁極層の傾斜面と非磁性膜の傾斜面とはわずかに屈曲しており、同一平面内には位置していないように見てとれ、両傾斜面の形成工程としては、引用例の段落【０１１４】に「マスク４２を用いて、例えば反応性イオンエッチングによって非磁性膜４１の一部をエッチングする。次に、マスク４２を用いて、例えばイオンビームエッチングによって磁性層１２Ｐの一部をエッチングする。」とあり、それぞれの傾斜面を個別のエッチング法を用いて形成しているが、反応性イオンエッチングあるいはイオンビームエッチングのいずれか一方のエッチング法のみを用いて両傾斜面を同じエッチング工程で形成するなどして、引用発明においても両傾斜面が同一平面内に位置するとみなせるようなものとすること（本願発明にあっても、本願明細書の段落【００５１】に「フォトレジスト層５０をマスクとして用いて、主磁極層２１ｚおよび非磁性上部形状層２２ｚをイオンビームエッチングする。これにより、図３に示したように、下側部分２１ａおよび上側部分２１ｂを含むと共に傾斜面２１ｓを有するテーパ主磁極層２１が形成されると共に、傾斜面２２ｓを有するテーパ非磁性上部形状層２２が形成される。この場合には、基準面２８−２８と直交する方向において、フォトレジスト層５０から離れるにしたがってエッチング量が増大するため、同一面内に位置すると共に基準面２８−２８に対して角度βをなすように傾斜面２１ｓ，２２ｓが形成される。」と記載されてはいるものの、主磁極層と非磁性上部形成層とは材料が異なり、当然、エッチングレートが異なることからすると、厳密な意味で両傾斜面が同一平面内に位置するようにすることは技術的に困難なはず。）は当業者であれば適宜なし得ることである。
　なお、そもそもテーパ主磁極層の傾斜面とテーパ非磁性上部形状層の傾斜面とが同一平面内に位置するようにすることについて、本願明細書には上記段落【００５１】の他に、例えば段落【００３６】に「テーパ主磁極層２１の傾斜面２１ｓおよびテーパ非磁性上部形状層２２の傾斜面２２ｓは、
例えば、同一面内に位置している
角度βは、例えば、約１０°〜８０°である
　
［相違点３］について
　引用例の図２１によると、引用発明における「第１層」の媒体対向面から離れた側の側面（本願発明でいう「第２側面」）は、非磁性膜における傾斜面の他端部を越えて当該非磁性膜における基板の表面に平行な上面の位置まで達しているが、かかる位置は、所望する磁気ヘッドの特性（記録磁界の強度や勾配など）に応じて適宜定められるべきものであり、引用発明において、「第１層」の媒体対向面から離れた側の側面が、例えば非磁性膜における傾斜面の他端部を越えることなくその他端部に位置するものとすること、つまり、媒体対向面からの所定の距離を、媒体対向面から非磁性膜の傾斜面の他端部までの距離とすることも当業者が適宜なし得ることである。
　
　そして、上記各相違点を総合的に勘案しても本願発明が奏する効果は、引用発明及び周知の技術事項から当業者が予測できたものであって、格別顕著なものがあるとはいえない。 
　
６．むすび
　以上のとおり、本願の請求項１に係る発明は、引用発明及び周知の技術事項に基づいて当業者が容易に発明をすることができたものであるから、特許法第２９条第２項の規定により特許を受けることができない。
　したがって、本願は、その余の請求項について論及するまでもなく拒絶すべきものである。
　よって、結論のとおり審決する。